(57)【要約】【課題】従来の電気を利用した非常灯は、自己放電による電気の消耗があり長期保管には適さなかった。また化学発光を利用する場合には、感震装置や破壊装置の構造が複雑で地震発生時に機械部が破損し機能しない可能性があり、簡便に提供することができなかった。【解決手段】反応液を破砕可能な保存容器に入れることにより長期間の保管を可能とした。また所定の加速度を有する地震により保存容器に衝突し、保存容器を破砕するに十分な質量を持つ振り子を設けた。これにより、所定の地震発生時には地震動が振り子を揺らせ、反応液を封入した保存容器に衝突、保存容器を破砕し、反応液を流下および混合させて化学反応を起こすことにより、簡便に非人為的に発光させることができる。【選択図】図１
2007141535.tif 000002
【特許請求の範囲】
【請求項１】
反応液を封入した破砕可能な保存容器と、破砕後に反応液が流出する反応容器と、振り子を備える非常灯であって、地震発生時には振り子が破砕可能な容器に衝突し、容器を破砕することによって封入された反応液を流出させ、反応液が反応容器に流れ込み化学反応を起こすことにより発光させることを特徴とする震災用非常灯。
【請求項２】
振り子は、所定の加速度を有する地震が発生した時に破砕可能な容器に衝突する位置に設けられ、また衝突により保存容器を破砕するに十分な質量を持つことを特徴とする請求項１の震災用非常灯。
【請求項３】
振り子は、任意の方向からの地震動に対して均一な性能を有するように、保存容器の破砕面から均等な距離に設けることを特徴とする請求項１の震災用非常灯。
【請求項４】
破砕可能な保存容器は、通常は反応液を保存するのに十分な強度を持ち、かつ所要の加速度を有する地震が発生した時に衝突する重りによって破砕されるように肉厚が調整されるか、または破砕を誘発するＶ字カットなどの加工を施したものであることを特徴とする請求項１の震災用非常灯。
【請求項５】
破砕可能な保存容器は、封入した反応液の変質を防止するために不透明に加工されたものか、または保存容器の上から不透明な容器で覆うことを特徴とする請求項１の震災用非常灯。
【請求項６】
２個の破砕可能な容器にそれぞれ蛍光液と酸化液を封入し、振り子が所定の地震加速度で容器を破砕することによって、封入された蛍光液と酸化液が流出し、反応容器内で混合されて化学発光することを特徴とする請求項１の震災用非常灯。
【請求項７】
破砕可能な容器に電解液を封入し、反応容器の内部には隔離された正極と負極を設けて電球やＬＥＤなどの電気発光素子を接続し、振り子が所定の地震加速度で保存容器を破砕することによって、封入された電解液が反応容器の正極と負極を浸して起電することにより電気発光素子が発光する請求項１の震災用非常灯。
【発明の詳細な説明】
【技術分野】
【０００１】
本発明は、所定の地震が発生した時に、非人為的に発光する非常灯に関するものである。
【背景技術】
【０００２】
電気を使用した非常灯は、電池又はバッテリーと電気発光素子をスイッチがある導線で接続し、地震発生時には地震の発生を検知する感震装置によりスイッチを接続することで電気を流し、電気発光素子を発光させる構造になっている。
【０００３】
しかし、以上の技術によれば、電池又はバッテリーは自己放電により徐々に電気を消耗し、長期間保管後には十分な発光能力が得られない可能性があり、定期的な維持管理が必要である。
【０００４】
また、特許文献１で示した化学反応を使用した非常灯は、地震の発生を検知する感震装置と容器を破損させる破壊手段が分離して設けられ、地震の発生を検知した感震装置は破壊手段を機械的に作動させる構造になっている。
【０００５】
しかし、以上の技術によれば、感震装置として転動する球体を使用しているため発光させる地震の大きさの設定が困難であり、また破砕手段として係止棒を介してヤジリを稼働する複雑かつ指向性を持つ構造となっているため、地震動の作用方向や強さによりこの構造が破損または機能しない可能性がある。
【特許文献１】特開平１０−２９４００１  発光灯
【発明の開示】
【発明が解決しようとする課題】
【０００６】
そこで、本発明は長期間の保管が可能で、なおかつ所定の加速度を持つ任意方向の地震動に対して非人為的に発光させる震災用非常灯を簡便な方法で提供することを課題とする。
【課題を解決するための手段】
【０００７】
請求項１の震災用非常灯は、反応液を封入した破砕可能な保存容器と、破砕後に反応液が流出する反応容器と、振り子を備える非常灯であって、地震発生時には振り子が破砕可能な容器に衝突し、容器を破砕することによって封入された反応液を流出させ、反応液が反応容器に流れ込み化学反応を起こすことにより発光させるものである。
【０００８】
請求項２の震災用非常灯の振り子は、所定の加速度を有する地震が発生した時に破砕可能な容器に衝突する位置に設けられ、また衝突により保存容器を破砕するに十分な質量を持つものである。
【０００９】
請求項３の震災用非常灯の振り子は、任意の方向からの地震動に対して均一な性能を有するように、保存容器の破砕面から均等な距離に設けられたものである。
【００１０】
請求項４の震災用非常灯の破砕可能な保存容器は、通常は反応液を保存するに十分な強度を持ち、かつ所要の加速度を有する地震が発生した時に衝突する重りによって破砕されるように肉厚が調整されるか、または破砕を誘発するＶ字カットなどの加工が施されたものである。
【００１１】
請求項５の破砕可能な保存容器は、封入した反応液の変質を防止するために不透明に加工されたものか、または保存容器の上から不透明な容器を覆ったものである。
【００１２】
請求項６の震災用非常灯は、２個の破砕可能な容器にそれぞれ蛍光液と酸化液を封入し、振り子が所定の地震加速度で容器を破砕することによって、封入された蛍光液と酸化液が流出し、反応容器内で混合されて化学発光するものである。
【００１３】
請求項７の震災用非常灯は、破砕可能な容器に電解液を封入し、反応容器の内部には隔離された正極と負極を設けて電球やＬＥＤなどの電気発光素子を接続し、振り子が所定の地震加速度で容器を破砕することによって、封入された電解液が反応容器の正極と負極を浸して起電することにより電気発光素子が発光するものである。
【発明の効果】
【００１４】
本発明により、所定の加速度を持った任意の方向からの地震動に対して、非人為的に発光させることができる簡便な構造の震災用非常灯を提供できる。
【実施例１】
【００１５】
図１は、本発明の化学発光を利用した震災用非常灯の１実施例の斜視図である。
この形態では、不透明な容器１Ａとその下に設けられた透明な反応容器１Ｂとで構成されている。不透明な容器１Ａの内部には、破砕可能な容器２が設けられ、この容器２の中に蛍光液４と酸化液５が個別に封入されている。不透明な容器１Ａは、破砕可能な容器２が不透明である場合には不要または透明でもよい。また破砕可能な容器２は、少なくとも振り子が衝突する部分のみが破砕可能であればよい。破砕可能な容器２から所定の加速度を有する地震により容器２に衝突する距離に振り子３を設ける。振り子３には容器２に衝突する際に、容器２を破砕できる衝撃力を有する質量を持たせる。容器２の破砕面の直下は反応容器１Ｂに繋がっており、破砕により流出した蛍光液４と酸化液５は混合しながら反応容器１Ｂに流下し、透明な反応容器１Ｂ内で化学発光する。
【００１６】
図２は、本発明の電気を利用した震災用非常灯の１実施例の斜視図である。
この形態では、不透明な容器１Ａとその下に設けられた反応容器１Ｂで構成されている。不透明な容器１Ａの内部には、破砕可能な容器２が設けられ、この容器２の中に電解液６が封入されている。不透明な容器１Ａは、破砕可能な容器２が不透明である場合には不要または透明でもよい。また破砕可能な容器２は、少なくとも振り子が衝突する部分のみが破砕可能であればよい。破砕可能な容器２から所定の加速度を有する地震により容器２に衝突する距離に振り子３を設ける。振り子３には容器２に衝突する際に、容器２を破砕できる衝撃力を有する質量を持たせる。容器２の破砕面の直下は反応容器１Ｂに繋がっている。反応容器１Ｂの中には隔離された正極７と負極８が設けられ、それぞれ導線９を介して電気発光素子１０に接続されている。破砕により流出した電解液６は反応容器１Ｂに流下し、正極７と負極８を同時に浸して起電することにより電気発光素子１０が発光する。
【図面の簡単な説明】
【００１７】
【図１】化学発光を利用した震災用非常灯の実施方法を示した説明図である。（実施例１）
【図２】電気を利用した震災用非常灯の実施方法を示した説明図である。（実施例２）
【符号の説明】
【００１８】
１Ａ  不透明な容器
１Ｂ  反応容器（化学発光を利用する場合には透明）
２    破砕可能な容器
３    振り子
４    蛍光液
５    酸化液
６    電解液
７    正極（複極剤で包んだ炭素棒など）
８    負極（亜鉛板など）
９    導線
１０  電気発光素子
【図１】
2007141535.tif 000003
【図２】
2007141535.tif 000004